(57)【要約】【課題】締結していたい時には締結状態を確実に保持し、緩めたい時には容易に緩めることができる締結具を提供する。【解決手段】ナットストッパー４３をハンマー等で押し込む。ナットストッパー４３の突起５５は足部２３Ａの長溝２５に対し案内されつつ奥へと押し込まれる。このとき、ナット３３の傾斜面３９はナットストッパー４３の傾斜面４９と当接し、押し込まれることでナット３３には図中矢印で示す締結方向の回転力が生ずる。ナット３３の傾斜面３９はナットストッパー４３の傾斜面４９に形成された切欠溝５１を乗り越えつつ回転する。一方、押し込みを止めるとナット３３の緩みによりナット３３の切欠溝４１とナットストッパー４３の切欠溝５１とが係止される。【選択図】図１
2014142007.tif 000002
【特許請求の範囲】
【請求項１】
ボルトと締結の対象となる被締結部材を間に挟むように配設されたナットと、該ボルトとナット間の締結を確実にさせるストッパーを備えた締結具であって、
前記ストッパーをボルトの軸方向に摺動させる摺動手段を備え、
前記ナットが、
前記ボルトに対して螺合され螺進退自在であり、周状に少なくとも一箇所配設されたナット先端突設部より該ナット先端突設部に対応するナット切欠奥端部に至るまで連続した第１の傾斜面を有し、該第１の傾斜面には少なくとも一つの第１の切欠溝が形成され、
前記ストッパーが、
周状に少なくとも一箇所配設されたストッパー先端突設部より該ストッパー先端突設部に対応するストッパー切欠奥端部に至るまで連続した前記ナットの第１の傾斜面と対峙する第２の傾斜面を有し、該第２の傾斜面には少なくとも一つの第２の切欠溝が形成され、
前記ストッパーに対し軸方向に押力を加えることで該ストッパーが前記摺動手段により摺動し、前記第２の傾斜面が前記第１の傾斜面に当接しつつ前記ナットを締結方向に回転させ、前記押力を解除若しくは弱めることで前記第１の切欠溝と前記第２の切欠溝とが係止されることを特徴とする締結具。
【請求項２】
ボルトと、締結の対象となる被締結部材に配設された雌ねじと、該ボルトと雌ねじ間の締結を確実にさせるストッパーを備えた締結具であって、
前記ストッパーをボルトの軸方向に摺動させる摺動手段を備え、
前記ボルトが、
ボルト頭部の上方及び下方に向けて突設するボルト足部を有し、
前記ボルト頭部には周状に少なくとも一箇所配設されたボルト先端突設部より該ボルト先端突設部に対応するボルト切欠奥端部に至るまで連続した第１の傾斜面を有し、該第１の傾斜面には少なくとも一つの第１の切欠溝が形成され、
前記雌ねじが、
前記ボルトの通される前記被締結部材に対して該ボルトの雄ねじに接するように直接刻設され、又は、前記被締結部材に埋め込まれたナットの内側に形成され、前記ボルトに対して螺合され螺進退自在であり、
前記ストッパーが、
周状に少なくとも一箇所配設されたストッパー先端突設部より該ストッパー先端突設部に対応するストッパー切欠奥端部に至るまで連続した前記ボルトの第１の傾斜面と対峙する第２の傾斜面を有し、該第２の傾斜面には少なくとも一つの第２の切欠溝が形成され、
前記ストッパーに対し軸方向に押力を加えることで該ストッパーが前記摺動手段により摺動し、前記第２の傾斜面が前記第１の傾斜面に当接しつつ前記ボルトを締結方向に回転させ、前記押力を解除若しくは弱めることで前記第１の切欠溝と前記第２の切欠溝とが係止されることを特徴とする締結具。
【請求項３】
前記摺動手段が、
前記ボルトの足部の側面に軸方向に沿って形成された長溝と、
該長溝に案内されて摺動するストッパーの突起とを備えたことを特徴とする請求項１記載の締結具。
【請求項４】
前記摺動手段が、
被締結部材に空けられた穴と、
該穴に対し案内される少なくとも１本のガイド軸をストッパーに備えたことを特徴とする請求項１又は請求項２記載の締結具。
【発明の詳細な説明】
【技術分野】
【０００１】
本発明は締結具に係わり、特に締結していたい時には締結状態を確実に保持し、緩めたい時には容易に緩めることができる締結具に関する。
【背景技術】
【０００２】
従来、普通のナットはもとより緩み止め機能を持つナットの多くもが、ナット座面と締結される物体が接する面に生じる摩擦力、あるいはボルトとナットが接する面に生じる摩擦力を利用することによってナットの緩む向きの回転を抑止する構造を持つものであった。
【０００３】
そのため、締結後に振動が生じる場合等においては、時間の経過とともにナットに緩みが生じやすかった。また、ナットの締緩時に大きい力を必要としたり、締結される物体やねじ山に大きい負荷がかかるためそれらの損傷を招いてしまったりしていた。
このため、従来より緩み防止を目的としたナットやボルト等の改良が行われている。
【０００４】
例えば、この改良の例として特許文献１の締結具を説明する。この例では、従来と同じ行程により六角ナット３を装着して、締め付け力を確認する。次いで、器具５をボルト１に通し、溝２をガイドとして六角ナット３に接する位置まで挿入する。
【０００５】
続いて、器具９をボルト１に通し、器具９が六角ナット３を覆うように挿入する。装着の状態を確認した後に、六角ナット３と器具９とが完全に接合するように、ハンマー等を用いて固定のための打撃を加える。
そして、このようにして締め付けた六角ナット３を器械的に固定することで緩みを抑制するものである。
【先行技術文献】
【特許文献】
【０００６】
【特許文献１】特開２００５−２６５１７１
【発明の概要】
【発明が解決しようとする課題】
【０００７】
しかしながら、特許文献１の締結具では、六角ナット３を帽子状に覆う器具９は、六角ナット３の六角形状に位置を合わせつつ、ボルト１の溝２をガイドとして挿入された連結器具５の歯車状の突起７とも位置合わせする必要があるため嵌合に際しての位置合わせが難しい。
また、衝撃が加わることで凹部のえくぼ４と凸部の差込１０とがずれ、抜けやすいおそれがある。
【０００８】
本発明はこのような従来の課題に鑑みてなされたもので、締結していたい時には締結状態を確実に保持し、緩めたい時には容易に緩めることができる締結具を提供することを目的とする。
【課題を解決するための手段】
【０００９】
このため本発明（請求項１）は、ボルトと締結の対象となる被締結部材を間に挟むように配設されたナットと、該ボルトとナット間の締結を確実にさせるストッパーを備えた締結具であって、前記ストッパーをボルトの軸方向に摺動させる摺動手段を備え、前記ナットが、前記ボルトに対して螺合され螺進退自在であり、周状に少なくとも一箇所配設されたナット先端突設部より該ナット先端突設部に対応するナット切欠奥端部に至るまで連続した第１の傾斜面を有し、該第１の傾斜面には少なくとも一つの第１の切欠溝が形成され、前記ストッパーが、周状に少なくとも一箇所配設されたストッパー先端突設部より該ストッパー先端突設部に対応するストッパー切欠奥端部に至るまで連続した前記ナットの第１の傾斜面と対峙する第２の傾斜面を有し、該第２の傾斜面には少なくとも一つの第２の切欠溝が形成され、前記ストッパーに対し軸方向に押力を加えることで該ストッパーが前記摺動手段により摺動し、前記第２の傾斜面が前記第１の傾斜面に当接しつつ前記ナットを締結方向に回転させ、前記押力を解除若しくは弱めることで前記第１の切欠溝と前記第２の切欠溝とが係止されることを特徴とする。
【００１０】
ストッパーに対し軸方向に押力を加えることでストッパーが摺動手段により摺動する。このとき、ストッパーの第２の傾斜面がナットの第１の傾斜面に当接しつつナットを締結方向に回転させる。そして、押力を解除若しくは弱めることでナットの第１の切欠溝とストッパーの第２の切欠溝とが係止される。
以上により、ナットはこの位置で固定され緩むことは無くなる。
【００１１】
また、本発明（請求項２）は、ボルトと、締結の対象となる被締結部材に配設された雌ねじと、該ボルトと雌ねじ間の締結を確実にさせるストッパーを備えた締結具であって、前記ストッパーをボルトの軸方向に摺動させる摺動手段を備え、前記ボルトが、ボルト頭部の上方及び下方に向けて突設するボルト足部を有し、前記ボルト頭部には周状に少なくとも一箇所配設されたボルト先端突設部より該ボルト先端突設部に対応するボルト切欠奥端部に至るまで連続した第１の傾斜面を有し、該第１の傾斜面には少なくとも一つの第１の切欠溝が形成され、前記雌ねじが、前記ボルトの通される前記被締結部材に対して該ボルトの雄ねじに接するように直接刻設され、又は、前記被締結部材に埋め込まれたナットの内側に形成され、前記ボルトに対して螺合され螺進退自在であり、前記ストッパーが、周状に少なくとも一箇所配設されたストッパー先端突設部より該ストッパー先端突設部に対応するストッパー切欠奥端部に至るまで連続した前記ボルトの第１の傾斜面と対峙する第２の傾斜面を有し、該第２の傾斜面には少なくとも一つの第２の切欠溝が形成され、前記ストッパーに対し軸方向に押力を加えることで該ストッパーが前記摺動手段により摺動し、前記第２の傾斜面が前記第１の傾斜面に当接しつつ前記ボルトを締結方向に回転させ、前記押力を解除若しくは弱めることで前記第１の切欠溝と前記第２の切欠溝とが係止されることを特徴とする。
【００１２】
ストッパーに対し軸方向に押力を加えることでストッパーが摺動手段により摺動する。このとき、ストッパーの第２の傾斜面がボルトの第１の傾斜面に当接しつつボルトを締結方向に回転させる。そして、押力を解除若しくは弱めることでボルトの第１の切欠溝とストッパーの第２の切欠溝とが係止される。
以上により、ボルトはこの位置で固定され緩むことは無くなる。
【００１３】
更に、本発明（請求項３）は、前記摺動手段が、前記ボルトの足部の側面に軸方向に沿って形成された長溝と、該長溝に案内されて摺動するストッパーの突起とを備えて構成した。
【００１４】
更に、本発明（請求項４）は、前記摺動手段が、被締結部材に空けられた穴と、該穴に対し案内される少なくとも１本のガイド軸をストッパーに備えて構成した。
【発明の効果】
【００１５】
以上説明したように本発明（請求項１）によれば、ストッパーに対し軸方向に押力を加えることでストッパーが摺動手段により摺動し、第２の傾斜面が第１の傾斜面に当接しつつナットを締結方向に回転させ、押力を解除若しくは弱めることで第１の切欠溝と第２の切欠溝とが係止されるように構成したので、ナットはこの位置で固定され緩むことは無くなる。
【図面の簡単な説明】
【００１６】
【図１】本発明の第１実施形態である締結具の構成図
【図２】ナットの傾斜面とナットストッパーの傾斜面の展開図
【図３】傾斜面を半周ずつの２段にて形成した例
【図４】本発明の第２実施形態である締結具の構成図
【図５】被締結部材に対し開けられたガイド穴の様子を示す図
【図６】本発明の第３実施形態である締結具の構成図
【発明を実施するための形態】
【００１７】
以下、本発明の実施形態について説明する。本発明の第１実施形態である締結具の構成図を図１に示す。図１（Ａ）のボルト側面図及び図１（Ｂ）のボルト底面図において、板等の被締結部材２２とこの被締結部材２２に対して固定される被締結部材２０には外周に雄ねじ２１の刻設された足部２３Ａと六角形の頭部２３Ｂとを有するボルト２３が通されている。この足部２３Ａには軸方向に沿って長溝２５が形成されている。
【００１８】
そして、図１（Ｃ）のナット側面図に示すように、このボルト２３の足部２３Ａに対し、内側に雌ねじ３１の刻設されたナット３３が螺合され螺進退自在なようになっている。図１（Ｃ）中のナット３３の右端側は六角形の平面にて形成され被締結部材２２に対し当接されるようになっている。
【００１９】
一方、左端側はナット先端突設部３５よりナット切欠奥端部３７に至るまで連続した螺旋状の傾斜面３９が形成されている。そして、この傾斜面３９の少なくとも一箇所には鋸刃状の切欠溝４１が形成されている。
【００２０】
また、図１（Ｄ）のナットストッパー側面図に示すように、このナット３３を挟んだ左方にはナットストッパー４３が配設されている。ナットストッパー４３の外周は図１（Ｅ）のナットストッパー底面図に示すように、六角形であり、内側中央には円形の穴５３が設けられ、かつ、この穴５３に向けて突起５５が突設されている。そして、この突起５５はボルトの長溝２５に案内されて摺動するようになっている。
【００２１】
図１（Ｄ）のナットストッパー４３の左端側は平面にて形成されている。一方、右端側はストッパー先端突設部４５よりストッパー切欠奥端部４７に至るまで連続した螺旋状の傾斜面４９が形成されている。この傾斜面４９の少なくとも一箇所には鋸刃状の切欠溝５１が形成されている。なお、図２にはナット３３の傾斜面３９とナットストッパー４３の傾斜面４９の展開図を示す
【００２２】
次に、本発明の第１実施形態の動作を説明する。
ボルト２３の足部２３Ａを被締結部材２０及び被締結部材２２に対し貫通させる。ボルト２３の頭部２３Ｂと被締結部材２０の間には図示しないワッシャーが間挿されてもよい。ナット３３をこの足部２３Ａに対し、螺合させて軽く仮止めする。ナットストッパー４３の突起５５が足部２３Ａの長溝２５に収まるように配置した後、ナットストッパー４３をハンマー等で叩き図１中右方向に押し込む。
【００２３】
但し、ハンマーに代えて図示しないナットをナットストッパー４３の左端に配置させ、このナットを回転させつつナットストッパー４３を右方向に押し込むようにしてもよい。
【００２４】
ナットストッパー４３の突起５５は足部２３Ａの長溝２５に対し案内されつつ軸方向に摺動され奥へと押し込まれる。このとき、ナット３３の傾斜面３９はナットストッパー４３の傾斜面４９と当接し、押し込まれることでナット３３には図中矢印で示す締結方向の回転力が生ずる。このとき、ナット３３の傾斜面３９はナットストッパー４３の傾斜面４９に形成された切欠溝５１を乗り越えつつ回転する。
【００２５】
一方、押し込みを止めたり押し込み力を弱めるとナット３３の緩みによりナット３３の切欠溝４１とナットストッパー４３の切欠溝５１とが係止される。なお、このとき、ナット３３を締結とは逆方向に少しだけ戻した形で強制的に係止させるようにしてもよい。
【００２６】
以上により、ナット３３はこの位置で固定され緩むことは無くなる。
外したい場合には、ナット３３を増し締めする方向に少しだけ回転させればよい。
【００２７】
なお、ナット先端突設部３５よりナット切欠奥端部３７に至るまで連続した螺旋状の傾斜面３９は、図１及び図２では１周で１段にて形成したが、図３に示すように、半周に対して傾斜面３９ａを、残りの半周に対して傾斜面３９ｂというように２段にて形成してもよい。
【００２８】
更に、同様に１／ｎ周毎に一段、一周でｎ段に形成してもよい。段差部分の壁４８は図３に示すように軸方向に対し平行でもよいが、点線で示すように軸方向に対し傾斜させてもよい。これらの点は対峙するナットストッパー４３についても同様である。
【００２９】
次に、本発明の第２実施形態について説明する。
本発明の第２実施形態である締結具の構成図を図４に示す。第１実施形態ではナット３３側に傾斜面３９を形成し、この傾斜面３９と対峙する傾斜面４９を有するナットストッパー４３を配設するとして説明したが、第２実施形態では、ボルト側に傾斜面を形成し、ボルトストッパーを配設したものである。なお、図１と同一要素のものについては同一符号を付して説明は省略する。
【００３０】
図４（Ａ）のボルト側面図において、被締結部材２２とこの被締結部材２２に対して固定される被締結部材２０にはボルト６０の外周に雄ねじ２１の刻設された足部６３Ａが貫通されている。被締結部材２２の内側で雄ねじ２１と接する部分には雌ねじが予め刻設されている。一方、被締結部材２０の内側には雌ねじは刻設されていない。そして、この足部６３Ａの図４（Ａ）中右方には六角形の頭部６３Ｂが固着され、更にこの頭部６３Ｂの右方には外周に雄ねじ２１の刻設された足部６３Ｃが突設されている。但し、足部６３Ａ及び足部６３Ｃは頭部６３Ｂに対し貫通させた後固着して構成されてもよい。また、一体成形にて構成されてもよい。
【００３１】
足部６３Ｃの右端面には図示しないドライバー用のプラス型若しくはマイナス型の溝が刻設されている。
頭部６３Ｂの左端は平面にて形成され被締結部材２０に対し当接されるようになっている。一方、頭部６３Ｂの右端はボルト先端突設部６５よりボルト切欠奥端部６７に至るまで連続した螺旋状の傾斜面６９が形成されている。この傾斜面６９の少なくとも一箇所には鋸刃状の切欠溝６１が形成されている。
【００３２】
また、図４（Ｂ）のボルトストッパー側面図に示すように、ボルトストッパー７０を構成するボルトストッパー本体７１の外周は六角形であり、内側中央には円形の図示しない穴が設けられている。図４（Ｂ）のボルトストッパー本体７１の右端は平面にて形成されている。
【００３３】
一方、左端はストッパー先端突設部７５よりストッパー切欠奥端部７７に至るまで連続した螺旋状の傾斜面７９が形成されている。この傾斜面７９の少なくとも一箇所には鋸刃状の切欠溝７２が形成されている。
【００３４】
また、ボルトストッパー本体７１の外壁には棒状のガイド軸７３Ａとガイド軸７３Ｂとが固着されている。そして、このガイド軸７３Ａとガイド軸７３Ｂとは、その左端が図５に示すように、被締結部材２０に対し開けられたガイド穴８１Ａ、８１Ｂに対して挿入されるようになっている。
【００３５】
次に、本発明の第２実施形態の動作を説明する。
被締結部材２２及び被締結部材２０に対しボルト６０の足部６３Ａを通す。ボルト６３の頭部６３Ｂと被締結部材２０の間には図示しないワッシャーが間挿されてもよい。被締結部材２２の内側に刻設された雌ねじとボルト６０の頭部６３Ｂとの間で被締結部材２０を仮止めする。
また、被締結部材２２に直接ねじ山を刻設する代わりに、被締結部材２２に予め開けられた図示しない穴に対してナットを埋め込んでおいてもよい。
その後、被締結部材２０のガイド穴８１Ａ、８１Ｂに対してボルトストッパー７０のガイド軸７３Ａとガイド軸７３Ｂの先端を通す。ガイド穴８１Ａ、８１Ｂは被締結部材２２にも通るように設けられても良い。
【００３６】
その後、ボルトストッパー本体７１の右端に図示しないナットを通し、このナットでボルトストッパー７０を回転させつつ押し込む。但し、ナットに代えてハンマー等でボルトストッパー本体７１の右端を叩き図中左方向に押し込むようにしてもよい。
【００３７】
ボルトストッパー７０のガイド軸７３Ａとガイド軸７３Ｂは被締結部材２０のガイド穴８１Ａ、８１Ｂに対し案内されつつ摺動し奥へと押し込まれる。このとき、ボルト６０の頭部６３Ｂの傾斜面６９はボルトストッパー本体７１の傾斜面７９と当接し、押し込まれることでボルト６０の頭部６３Ｂには図中矢印で示す締結方向の回転力が生ずる。ボルト６０の頭部６３Ｂの傾斜面６９はボルトストッパー本体７１の傾斜面７９に形成された切欠溝７２を乗り越えつつ回転する。
【００３８】
一方、ボルトストッパー７０の押し込みを止めたり、押し込み力を弱めるとボルト６０の頭部６３Ｂの緩みによりボルトストッパー本体７１の切欠溝７２とボルト６０の頭部６３Ｂの切欠溝６１とが係止される。なお、このとき、ボルト６０の足部６３Ｃの右端面に刻設されたドライバー用のプラス型若しくはマイナス型の溝に対してドライバーを当ててボルト６０を締結とは逆方向に少しだけ戻した形で係止させるようにしてもよい。
【００３９】
以上により、ボルト６０はこの位置で固定され緩むことは無くなる。
外したい場合には、ボルト６０を増し締めする方向に少しだけ回転させればよい。このときにもボルト６０の足部６３Ｃに対してドライバーを当てて回転させればよい。
なお、ガイド軸７３Ａ、７３Ｂは１本だけ配設されてもよい。
【００４０】
次に、本発明の第３実施形態について説明する。
本発明の第３実施形態である締結具の構成図を図６に示す。第１実施形態ではナットストッパー４３の突起５５がボルト２３の長溝２５に案内されて摺動する例を示したが、第３実施形態ではこの突起５５に代えて、第２実施形態で説明したガイド軸を適用したものである。なお、図１と同一要素のものについては同一符号を付して説明は省略する。
【００４１】
ナットストッパー４３の外壁には棒状のガイド軸９１Ａとガイド軸９１Ｂとが固着されている。そして、このガイド軸９１Ａとガイド軸９１Ｂとは、その右端が被締結部材２０に対し開けられたガイド穴８１Ａ、８１Ｂに対して挿入されるようになっている。
【００４２】
かかる構成において、ナットストッパー４３をハンマー等で図６中右方向に押し込む。但し、ハンマーに代えてナットで回転しつつ押し込むようにしてもよい。このとき、ナットストッパー４３のガイド軸９１Ａとガイド軸９１Ｂは被締結部材２０のガイド穴８１Ａ、８１Ｂに対し案内されつつ摺動し奥へと押し込まれる。そして、ナット３３の傾斜面３９はナットストッパー４３の傾斜面４９と当接し、押し込まれることでナット３３には図中矢印で示す締結方向の回転力が生ずる。
【００４３】
一方、押し込みを止めるとナット３３の緩みによりナット３３の切欠溝４１とナットストッパー４３の切欠溝５１とが係止される。
以上により、ナット３３はこの位置で固定され緩むことは無くなる。
外したい場合には、ナット３３を増し締めする方向に少しだけ回転させればよい。
【００４４】
なお、本発明の各実施形態は、ボルトとナットにより締結しうるすべてのものに利用できる。特に従来、緩みやすいが故に緩み止め機能を持つ締結具が用いられてきた分野において有用である。
【符号の説明】
【００４５】
２０、２２  被締結部材
２３、６０  ボルト
２３Ａ、６３Ａ、６３Ｃ  ボルト足部
２３Ｂ、６３Ｂ    ボルト頭部
２５  長溝
３３  ナット
３５  ナット先端突設部
３７  ナット切欠奥端部
３９、４９、６９、７９  傾斜面
４１、５１、６１、７２  切欠溝
４３  ナットストッパー
４５、７５  ストッパー先端突設部
４７、７７  ストッパー切欠奥端部
５３  穴
５５  突起
６５  ボルト先端突設部
６７  ボルト切欠奥端部
７０  ボルトストッパー
７１  ボルトストッパー本体
７３、９１  ガイド軸
８１  ガイド穴
【図１】
2014142007.tif 000003
【図２】
2014142007.tif 000004
【図３】
2014142007.tif 000005
【図４】
2014142007.tif 000006
【図５】
2014142007.tif 000007
【図６】
2014142007.tif 000008